(57)【特許請求の範囲】
【請求項１】
スライドアームを、取付具によって電柱の上端部に傾倒可能に取付けると共に、取付け手段によって電柱に平行に取付けた伸縮棒によって電柱から平行に離れた位置で下から支持固定した後、移動ローラをスライドアーム上の電柱に近い位置に固定し、電柱に張設された高圧送電線などの活線の上部に張設された架空地線を、先端の掴線器で掴持した張線器の操作によって、架空地線の掴持部を移動ローラ側に引寄せて架空地線の端部を撓ませた状態とし、この状態で架空地線の端部を電柱の架空地線接続部から取外し、次いで移動ローラをスライドアーム上に沿って電柱から遠ざかる方向に移動させて架空地線を電柱から遠ざけ、更に伸縮棒を縮めてスライドアームを取付具位置を支点として斜め下向きに傾倒させて架空地線を電柱に張設された活線の斜下方側に位置させてから、架空地線を掴線器から取外すようにしたことを特徴とする架空地線の撤去方法。
【発明の詳細な説明】
【０００１】
【発明の属する技術分野】
本発明は、電柱に張設された高圧送電線などの活線の上方位置に張設された架空地線の撤去方法に関するものである。
【０００２】
【従来の技術】
一般に、電柱の上端部には、この電柱に張設された高圧送電線などの活線の上方位置に架空地線が張設されている。
【０００３】
従来、この架空地線を取付けや撤去のために張替作業を行う際には、架空地線を電柱における活線の上方位置に張設された状態で撤去していたので、この架空地線が撤去作業時に垂れ下がって活線に接触するおそれや、作業者等が活線に接触するおそれがあったりし、この架空地線の張替作業が非常に危険であるという問題があった。
【０００４】
【発明が解決しようとする課題】
本発明は、上記従来の問題を解消し、架空地線を活線に接触することなく安全に能率良く取付けたり撤去することができるようにした架空地線の撤去方法を提供することを目的としている。
【０００５】
【０００６】
【課題を解決するための手段】
上記目的を達成するために本発明の架空地線の撤去方法は、スライドアームを、取付具によって電柱の上端部に傾倒可能に取付けると共に、取付け手段によって電柱に平行に取付けた伸縮棒によって電柱から平行に離れた位置で下から支持固定した後、移動ローラをスライドアーム上の電柱に近い位置に固定し、電柱に張設された高圧送電線などの活線の上部に張設された架空地線を、先端の掴線器で掴持した張線器の操作によって、架空地線の掴持部を移動ローラ側に引寄せて架空地線の端部を撓ませた状態とし、この状態で架空地線の端部を電柱の架空地線接続部から取外し、次いで移動ローラをスライドアーム上に沿って電柱から遠ざかる方向に移動させて架空地線を電柱から遠ざけ、更に伸縮棒を縮めてスライドアームを取付具位置を支点として斜め下向きに傾倒させて架空地線を電柱に張設された活線の斜下方側に位置させてから、架空地線を掴線器から取外すようにしたことを特徴とする。
【０００７】
上記発明によると、架空地線の撤去作業の際、架空地線を活線から離れた位置で且つ活線より下方位置で行うことができるので、この架空地線が活線に接触することがなく、作業者等が活線に接触するおそれもなく、架空地線の撤去作業を安全に能率良く行うことができる。
【０００８】
【発明の実施の形態】
以下、本発明に係る架空地線の撤去作業の実施の形態について、図を参照しつつ説明する。
【０００９】
この撤去作業の実施形態は図１〜図１０に示すように、略水平方向に延設した形状のスライドアーム１と、このスライドアーム１を電柱Ｄの上端部に傾倒可能に取り付ける取付金具（取付具）２と、スライドアーム１を電柱Ｄから平行に若干離れた位置で下から支持固定する伸縮棒３と、この伸縮棒３を電柱Ｄに平行に取付ける取付け手段（具体的には伸縮棒３自身が備えるアーム取付具３４と、後述の取付け用補助金具４）と、スライドアーム１にこれに沿って移動可能に取付けた移動ローラ５と、この移動ローラ５に取付けられ、先端に掴線器６を有する張線器７とを用いて行うようにしている。尚、伸縮棒３は架空地線Ｇが活線Ｋより６０ｃｍ以上の高さに位置するように伸ばした状態で前記取付け手段によって電柱Ｄに取付けてスライドアーム１を支持固定する。
【００１０】
上記のように電柱Ｄに設置された各種金具を用いて、架空地線Ｇの撤去作業を行うには、まず、移動ローラ５をスライドアーム１上の電柱Ｄに近い位置に位置固定する。次いで電柱Ｄに張設された活線Ｋの上方位置に張設された架空地線Ｇを、移動ローラ５に取付けられた張線器７の先端の掴線器６で掴持し張線器７の操作によって架空地線Ｇの掴持部を移動ローラ５側に引寄せて架空地線Ｇの端部を撓ませた状態とする。この状態で架空地線Ｇの端部を電柱Ｄの架空地線接続部（図示省略）から取外す。具体的には、支持がいしから巻付グリップを外し、架空地線Ｇの端部をフリーの状態とする。
【００１１】
次に移動ローラ５の位置固定を解除し、移動ローラ５をスライドアーム１上に沿って架空地線Ｇを活線Ｋから６０ｃｍ以上離隔した状態を保つように電柱Ｄから遠ざかる方向に移動させて架空地線Ｇを電柱Ｄから遠ざけ、その位置で移動ローラ５をスライドアーム１上に位置固定する。
【００１２】
更に伸縮棒３を縮めてスライドアーム１を取付金具２位置を支点として斜め下向きに傾倒させて架空地線Ｇを電柱Ｄに張設された活線Ｋの斜下方側に位置させる。
【００１３】
次いで前記移動ローラ５に取付けられた張線器７の掴線器６に掴持された架空地線Ｇを前記掴線器６から取外す。
【００１４】
上記架空地線の撤去作業は、隣接する電柱においても並行して実施され、複数の電柱間に張設された架空地線Ｇが、活線Ｋの斜下位置において安全な状態で能率良く撤去される。
【００１５】
次に、図４〜図１０に基づいて、上記の各張替工具について詳細に説明する。
【００１６】
取付金具２は、図４（ａ）（ｂ）に示すように、金具本体部２１と、この金具本体部２１の一方側に湾曲部２２を介して枢着された湾曲状固定部２３と、金具本体部２１の他方側に、湾曲状固定部２３に対向して設けられたネジ軸２４と、このネジ軸２４に螺合する締付けナット２６と、後述するスライドアーム１のジョイントピン１１が差し込まれて、支持される穴付きブロック２５と、前記ジョイントピン１１を固定するための固定ネジ２７と、前記穴付きブロック２５をこれに螺合してその位置を調整するための位置調整ボルト２８とを備えている。
【００１７】
そして、この取付金具２は、湾曲状固定部２３の先端フォーク部２３ａをネジ軸２４に係合し、締付けナット２６を締付け、締付けナット２６の鍔部２６ｂで前記先端フォーク部２３ａを押動することにより、湾曲状固定部２３と湾曲部２２との間に、電極Ｄの上端部に設けられた冠体Ｃ（図２参照）の上部を挟み込んで、この冠体Ｃに固定される。なお、前記締付けナット２６及び前記固定ネジ２７はそれぞれ目玉部２６ａ、２７ａを有して遠隔操作が可能なように構成されている。
【００１８】
スライドアーム１は、図５に示すように、角筒形状をなしており、その左右２箇所の下面側に、取付金具用のジョイントピン１１と伸縮棒用ジョイントピン１２とがそれぞれ枢支ピン１１ａ、１２ａを介して取付けて構成されている。取付金具用ジョイントピン１１は上記したように、取付金具２の穴付きブロック２５に差し込んで取付けられ、スライド式ジョイントピン１２は、後述する伸縮棒３のヘッド３１（図８参照）に挿入して取付けられるようになっている。
【００１９】
このスライドアーム１上には、移動ローラ５が左右移動可能に載置されるようになっている。
【００２０】
この移動ローラ５は、図６（ａ）（ｂ）に示すように、正面視略コ字形の移動ローラ本体部５１の内側に、スライドアーム１の４側面に当接してスライドアーム１上を移動させるためのガイドローラ５２、５７、５８が回転可能に取付けられている。また移動ローラ本体部５１の上部には延線ローラ本体５３が設けられ、この延線ローラ本体５３の内側には、その左右上下に延線ローラ５４ａ、５４ｂ、５４ｃ、５４ｄが回転可能に取付けられている。さらに移動ローラ本体５１の一方の側面には移動ローラ５をスライドアーム１の所望の位置に固定するための位置固定ネジ５５が設けられ、他方の側面には張線器７のジョイントボルト７７を接続するための目玉状の取付け部５９が設けられている。
【００２１】
取付け用補助金具４は、図７に示すように、棒状の本体部４３と、この本体部４３の基端側に位置して、電柱Ｄに巻設状態で取付けられる固定部４１と、前記本体部４３の先端側に位置して、後述する伸縮棒３のジョイント金具３７に挿入してこの伸縮棒３を立設した状態で支持する取付ピン４２とを有している。
【００２２】
伸縮棒３は、図８に示すように、柱本体３３と、この柱本体３３の中央部に取付けられクランプ３４ａを備えたアーム取付具３４と、柱本体３３の上端部に設けられたヘッド３１と、柱本体３３に伸縮可能に挿入された伸縮棒状部３５と、この柱本体３３の下端部に設けられて伸縮棒状部３５を伸縮させるための入力軸３６ａを備えたギヤボックス３６と、ジョイント金具３７が設けられた固定リング３８と、伸縮棒用ジョイントピン１２を固定するための固定ネジ３９とを備えている。
【００２３】
そして、ヘッド３１にスライドアーム１がその伸縮棒用ジョイントピン１２を挿入し、固定ネジ３９を締付けることにより取付けられる（図３参照）。また図１に示すように、アーム取付具３４を電柱ＤのアームＡに套入し、クランプ３４ａを締付けることにより伸縮棒３は電柱Ｄに固定される。さらに伸縮棒３のジョイント金具３７を取付け用補助金具４の取付ピン４２に取付けることにより、伸縮棒３は電柱Ｄにこれに並立するようにして固定される。
【００２４】
張線器７は、図９（ａ）（ｂ）に示すように、本体部７１に巻取られるベルト７２と、このベルト７２を巻取るためのブレーキギヤ７３と逆止爪７４とが付設され一方向だけに回転する入力軸７５と、移動ローラ５に取り付けるため本体部７１側に設けられたジョイントボルト７６と、掴線器６を取り付けるためベルト７２の先端側に設けられたジョイントボルト７７とを備えている。
【００２５】
掴線器６は、図１０（ａ）（ｂ）に示すように、本体部６１の一方側に設けられた可動側挟持部６２と、本体部６１の他方側に設けられ可動側挟持部６２と対向した固定側挟持部６３と、張線器７のジョイントボルト７６を挿入して張線器７に取り付けるための円穴６５と、掴持状態を確実にするための固定ネジ６４とを有し、可動側挟持部６２と固定側挟持部６３とで架空地線Ｇを挟んだ状態で掴持するようになっている。
【００２６】
次に、架空地線Ｇの撤去作業について説明する。
【００２７】
先ず、図２に示すように、電柱Ｄの上端に設けた冠体Ｃの上部に、取付金具２をその湾曲状固定部２３を開いた状態で嵌めてから、この湾曲状固定部２３を閉め、締付けナット２６を締付けることにより、取付金具２３を電柱Ｄの上端に設けた冠体Ｃの上部に取付け固定する。
【００２８】
次に、図３に示すように、スライドアーム１の取付金具用ジョイントピン１１を取付金具２の穴付きブロック２５に挿入して取付ける一方、図１に示すように、電柱Ｄにアーム取付具３４および取付け用補助金具４を利用して取付けた伸縮棒３のヘッド３１に、スライドアーム１の伸縮棒用ジョイントピン１２を挿入して取り付けて、スライドアーム１を図１に実線で示すように水平方向に架空地線Ｇが活線Ｋより６０ｃｍ以上の離隔を保つことができるように設置する。
【００２９】
次に、図１に実線で示すようにスライドアーム１上に移動ローラ５を電柱Ｄ寄り位置に載置固定する。この状態で、移動ローラ５の取付け部５９に、張線器７のジョイントボルト７６を取り付けてから、掴線器６で架空地線Ｇの所定箇所を掴持し、張線器７の入力軸７５をラチェットレンチ等を用いて回動してベルト７２を巻き込んで架空地線Ｇの掴持部を移動ローラ５側に引寄せて架空地線Ｇの端部（電柱Ｄの部分で終わっている場合もあるが、次の電柱へ向けて延線している場合もある。）を撓ませる。
【００３０】
そして、この状態で、支持がいしから巻付グリップを外し、架空地線Ｇの端部をフリーの状態にする。
【００３１】
次に図１にて二点鎖線で示すように、移動ローラ５をスライドアーム１上で電柱Ｄから遠ざかる方向に架空地線Ｇが活線Ｋより６０ｃｍ以上の離隔を保てるように水平に移動させ、更に、スライドアーム１を図１にて二点鎖線で示すように、伸縮棒３をその入力軸３６ａを回転ハンドル等で回転させて縮めてスライドアーム１を取付金具２位置を支点として斜め下向きに傾倒させ、架空地線Ｇを電柱Ｄに張設された活線Ｋの斜下方側に位置させる。両ジョイントピン１１、１２とスライドアーム１とは枢支ピン１１ａ、１２ａを介して結合されているので、スライドアーム１の傾倒作業は円滑になされる。この位置でスライドアーム１は位置固定される。
【００３２】
次いで前記掴線器６を開放して架空地線Ｇを撤去する。
【００３３】
尚、架空地線の取付け作業においては、上記のように架空地線を撤去した後、新しい架空地線を上記撤去作業と逆の順序の作業で電柱Ｄに取付けることができる。
【００３４】
【発明の効果】
以上説明したように、本発明によれば、架空地線の撤去作業の際、架空地線を活線から離れた斜下方位置で行うことができるので、この架空地線の撤去作業を安全に能率良く行うことができる。
【図面の簡単な説明】
【図１】  本発明の一実施形態の架空地線の撤去方法を示す概略説明斜視図である。
【図２】  本実施形態に用いる取付金具を、電柱の上部の冠体に取り付けた状態を示す正面図である。
【図３】  本実施形態の架空地線の撤去方法におけるスライドアームの電柱への取付け方法を示す正面図である。
【図４】  本実施形態に用いる取付金具を示し、（ａ）は平面図、（ｂ）は正面図である。
【図５】  本実施形態におけるスライドアーム上に移動ローラを載置した状態を示す正面図である。
【図６】  本実施形態に用いる移動ローラを示し、（ａ）は正面図、（ｂ）は側面図である。
【図７】  本実施形態に用いる取付け用補助金具の平面図である。
【図８】  本実施形態に用いる伸縮棒の正面図である。
【図９】  本実施形態に用いる張線器を示し、（ａ）は平面図、（ｂ）は正面図である。
【図１０】  本実施形態に用いる掴線器を示し、（ａ）は正面図、（ｂ）は側面図である。
【符号の説明】
Ｄ          電柱
Ｇ          架空地線
Ｋ          活線
１          スライドアーム
２          取付金具
３          伸縮棒
４          取付け用補助金具
５          移動ローラ
６          掴線器
７          張線器
３４        アーム取付具
【図１】
0004188477.tif 000002
【図２】
0004188477.tif 000003
【図３】
0004188477.tif 000004
【図４】
0004188477.tif 000005
【図５】
0004188477.tif 000006
【図６】
0004188477.tif 000007
【図７】
0004188477.tif 000008
【図８】
0004188477.tif 000009
【図９】
0004188477.tif 000010
【図１０】
0004188477.tif 000011